(57)【要約】【課題】  化粧品、薬剤等に更なる機能を付加する。【解決手段】  化粧品等に超音波振動を与えて被塗布対象に供給する。供給は粧品又は薬剤を噴霧して被塗布対象に供給することが好ましい。噴霧手段としては多孔板を取付けたピエゾ振動子を用いることが好ましい。【選択図】  なし【特許請求の範囲】
【請求項１】
化粧品又は薬剤に超音波振動を与えて被塗布対象に供給することを特徴とする化粧品又は薬剤の供給方法。
【請求項２】
化粧品又は薬剤に超音波振動を与えると共にこれら化粧品又は薬剤を噴霧して被塗布対象に供給することを特徴とする化粧品又は薬剤の供給方法。
【請求項３】
多孔板を取付けたピエゾ振動子を用いて噴霧する請求項２に記載の化粧品又は薬剤の供給方法。
【請求項４】
化粧品又は薬剤が、相互に溶解しない２以上の成分に相分離するものである請求項１乃至３の何れかに記載の化粧品又は薬剤の供給方法。
【請求項５】
化粧品又は薬剤が、同一容器に収納できずに２以上に分包してあり、使用時に混合するものである請求項１乃至３の何れかに記載の化粧品又は薬剤の供給方法。
【請求項６】
多孔板を取付けたピエゾ振動子と、前記ピエゾ振動子を振動させる駆動手段と、前記ピエゾ振動子に取付けた多孔板に化粧品又は薬剤を供給する手段とを有する化粧品又は薬剤の供給装置。
【発明の詳細な説明】
【技術分野】
【０００１】
本発明は、化粧品、サニタリー製剤、その他の薬剤を例えば皮膚等の被塗布対象に供給して塗布する方法に関する。
【背景技術】
【０００２】
従来、化粧品、サニタリー用薬品等の薬剤は、各種の基材、薬剤等を所定の割合で配合して容器詰されている。これら化粧品や薬剤等を使用する際には、皮膚、目的とする器具等の被塗布対象に直接塗布したり、噴霧したりしている。この場合、化粧品や薬剤は、塗布又は噴霧されて、その化粧品や薬剤が有する本来の効能を発揮する。
【０００３】
しかし、これらの効能は、本来予定されている効能の範囲内のものであり、それを超える効能を期待することはできない。
【０００４】
特許文献１には、電解質水溶液を電気分解して、得られる電解水を皮膚等に噴霧する電解水噴霧装置が記載されている。しかし、この装置は、皮膚等に効用を示す電解水を噴霧するものであり、人体の他の部位に噴霧することまでは考えていなかった。
【特許文献１】特開２００２−５２０６９号公報（特許請求の範囲）
【発明の開示】
【発明が解決しようとする課題】
【０００５】
本発明者らは、超音波振動の作用を検討している内に、化粧品や各種薬剤に超音波振動を与えることにより、各種の新しい作用効果を化粧品や薬剤が具備する様になることを見出した。本発明は上記発見に基づいて完成するに至ったもので、その目的とするところは、本来有する効能に加えて、更に各種の新たな効能を示す化粧品、薬剤の供給方法を提供することにある。
【課題を解決するための手段】
【０００６】
上記目的を達成する本発明は、以下に記載するものである。
【０００７】
〔１〕  化粧品又は薬剤に超音波振動を与えて被塗布対象に供給することを特徴とする化粧品又は薬剤の供給方法。
【０００８】
〔２〕  化粧品又は薬剤に超音波振動を与えると共にこれら化粧品又は薬剤を噴霧して被塗布対象に供給することを特徴とする化粧品又は薬剤の供給方法。
【０００９】
〔３〕  多孔板を取付けたピエゾ振動子を用いて噴霧する〔２〕に記載の化粧品又は薬剤の供給方法。
【００１０】
〔４〕  化粧品又は薬剤が、相互に溶解しない２以上の成分に相分離するものである〔１〕乃至〔３〕の何れかに記載の化粧品又は薬剤の供給方法。
【００１１】
〔５〕  化粧品又は薬剤が、同一容器に収納できずに２以上に分包してあり、使用時に混合するものである〔１〕乃至〔３〕の何れかに記載の化粧品又は薬剤の供給方法。
【００１２】
〔６〕  多孔板を取付けたピエゾ振動子と、前記ピエゾ振動子を振動させる駆動手段と、前記ピエゾ振動子に取付けた多孔板に化粧品又は薬剤を供給する手段とを有する化粧品又は薬剤の供給装置。
【発明の効果】
【００１３】
本発明に於いては、化粧品や薬剤が乳化形態で構成されている場合には、これに超音波振動を与えることにより、乳化している乳化粒子の粒子径をより小さくでき、これにより被塗布対象に更に均一に化粧品等を塗布できる。その結果薬剤等の皮膚内への浸透速度が高まる。また、乳化剤の使用量を減少できる。更に、超音波振動を与えることにより化粧品等の温度が高まると共にその粘度が低下するので、これを噴霧により塗布する場合は、噴霧しやすくなる。
【発明を実施するための最良の形態】
【００１４】
本発明に於いて、超音波振動を与える対象物としては、化粧品及び薬剤（以下、これらを単に化粧品等と略記することがある。）がある。
【００１５】
具体的には、人や動物の皮膚に供給して塗布する化粧品等としては、コロン、日焼止クリーム、日焼止薬剤、消毒用薬剤、殺菌用薬剤、やけど用薬剤、トイレにおける排泄後の洗浄等を例示できる。
【００１６】
毛髪に供給する化粧品等としては、染め毛剤、パーマネント剤、寝ぐせ直し剤、シャンプー、リンス、トリートメント等を例示できる。
【００１７】
睫毛に供給する化粧品等としては、睫毛用カール薬剤等がある。
【００１８】
頭皮用化粧品等としては、養毛剤、育毛剤、トニック等がある。
【００１９】
眼球用化粧品等としては、眼球消毒洗浄剤等がある。
【００２０】
口腔内に供給する化粧品等としては、口腔内消毒剤、口内炎治療剤、歯磨剤、歯用マニキュア等がある。
【００２１】
爪に供給する化粧品等としては、ネイルアート用薬剤、研磨剤、ネイル用栄養剤等がある。
【００２２】
サニタリー用薬剤としては、各種消毒剤、殺菌剤等がある。
【００２３】
これら化粧品、薬剤は、水溶液、エタノール等の溶剤溶液、水ー溶剤混合溶液、乳化物、懸濁物、水と油のような相分離しているもの、互いに反応しまたは不安定で各成分を１包装にできず分包しておき、使用時に混合し又は分包したものを混合することなく順次使用する形態のもの等がある。又、これらの化粧品、薬剤は、ハンドクリームのように高粘度のものから、水のように低粘度のものまである。
【００２４】
本発明に於いては、上記化粧品、薬剤に、超音波振動を与えた後、直ちに、又は超音波振動を与えながら、被塗布対象にこれら化粧品等を供給するものである。
【００２５】
供給方法は、特に制限が無く、刷毛塗り、滴下、吹きつけ等の方法を例示できる。特に好ましい供給方法は、超音波振動を与えながら、噴霧して、被塗布対象に塗布する方法である。
【００２６】
以下、図面を参照しながら本発明の化粧品等の供給装置の一例につき説明する。この例に於いては、スキンケアを目的として、化粧水、薬剤に超音波振動を与える例である。
【００２７】
図１中、１００は化粧品等の供給装置で、化粧品等の供給装置主体１０２と、前記化粧品等の供給装置主体１０２に取付けられた噴霧部１０４とからなる。
【００２８】
なお、図３に供給装置１００の斜視図を示した。
【００２９】
２は、略直方体状の化粧品等の供給装置主体１０２の筐体である。４は、前記筐体２内に収納された第１供給タンクで、その内部には化粧品等（本例に於いては油性のビタミンＥの水エマルジョン）が収納されている。
【００３０】
前記第１供給タンク４の下方には、圧送装置、例えばポンプ６が取付けられており、前記第１供給タンク４内に収納されている第１化粧品等は供給管８を通して前記ポンプ６に供給される。前記ポンプ６に供給された第１化粧品等は、次いでポンプ６により圧送されて送出管１０を通って流出管２６に供給される。
【００３１】
同様に、第２供給タンク３２内に収納されている第２の化粧品等（本例に於いてはビタミンＣ水溶液）はポンプ７により圧送されて送出管１１を通って流出管２６に供給される。
【００３２】
流出管２６の前方には噴霧部１０４が供給装置主体１０２に取付けられている。
【００３３】
噴霧部１０４の取付け方法としては、例えばスライドガイドや、係止突起等を用いる通常の嵌合手段が例示される。
【００３４】
図１に示すように、噴霧部１０４は、内部に前記噴霧素子２８を収納した噴霧部本体３４と、その上部に取付けた噴霧部開閉カバー３６とで構成されている。
【００３５】
噴霧素子２８は、多孔板２８ａとピエゾ振動子２８ｂとからなる。多孔板２８ａは、孔径１８〜２４μｍの貫通孔が多数形成されており、その端部が前記ピエゾ振動子２８ｂに連結して固定されている。従って、前記ピエゾ振動子２８ｂに交流やパルス電圧を印荷する事により、ピエゾ振動子２８ｂが振動し、これに伴い振動子２８ｂに固定された多孔板２８ａが振動する。これにより、後述するように流出管２６から供給される化粧品等は多孔板２８ａに形成された多数の貫通孔を通して外部に噴霧される。
【００３６】
噴霧部開閉カバー３６は、前記噴霧素子２８を覆うと共に、上下方向に摺動自在に前記噴霧部本体３４に取付けられている。前記噴霧部開閉カバー３６の供給装置主体１０２側には、カバー３６上部から流出管２６にかけて、平板からなる吐出口開閉手段３８が垂設されており、流出管２６の先端の吐出口は前記吐出口開閉手段３８に当接している。このため、流出管２６の先端は閉塞され、化粧品等は漏出しない。
【００３７】
前記カバー３６の上部にはマグネット４０が取付けてあり、対応する供給装置主体１０２側に取付けたリードスイッチ４２と協働してカバー３６の位置を検出できるようになっている。
【００３８】
４４はマイクロプロセッサを組込んだ制御部で、この制御部の制御により、ポンプ６、噴霧素子２８等が制御され、またリードスイッチ４２の信号が取込まれる。４６は、制御部４４、ポンプ６、７、噴霧素子２８等に電力を供給する駆動電源である。駆動電源としては、一次電池、二次電池の何れも使用できる。
【００３９】
なお、５４は駆動電源４６の電力を制御４４部に供給する配線、５０はリードスイッチ４２と制御部とを結ぶ信号線、５２、５３は制御部４４からポンプ６、７に制御された電力を供給する配線である。
【００４０】
また、５５は筐体２内壁に装着されたゴム等の弾性体からなるパッキングで、これにより防水構造を構成している。この防水構造により、化粧品等が供給装置主体１０２内部に侵入することを防いでいる。
【００４１】
次に、上記供給装置１００を用いて化粧品等を噴霧する場合につき説明する。
【００４２】
図２に示すように、先ずカバー３６を上方に引上げる。これにより、吐出口開閉手段３８も上方に移動し、流出管２６の吐出口は閉塞状態から、開口状態になる。
【００４３】
一方、カバー３６に取付けられたマグネット４０も上方に移動され、リードスイッチ４２から離れる。この状態を検知した制御部４４は駆動電源４６の電力をポンプ６、７、吐出手段２８に供給し、これによりポンプ６が作動し、供給タンク４内の化粧品等は供給管８、ポンプ６、送出管１０を通って流出管２６に送られる。
【００４４】
一方、第２タンク内の第２の化粧品等も同様にポンプ７により、供給管９を通り、流出管２６に送られる。このようにして、第１、第２の化粧品等の混合物は流出管２６に送られ、その先端の吐出口から液滴５８になって超音波振動している多孔板２８ａに供給され、ここで超音波振動を与えられると共に、更に多孔板２８ａに形成された微細貫通孔を通って多孔板２８ａの前方に噴霧される。
【００４５】
化粧品等の噴霧が終り、噴霧を停止する際には、カバー３６を下方に押下げる。すると、マグネットがリードスイッチ４２に近づき信号線５０を通して信号が制御部に送られる。これによりポンプ６、７に供給される電力が切断され、化粧品等の噴霧が停止される。
【００４６】
上記例においては、リードスイッチ４２が噴霧動作のスイッチの役割を果しているが、これに限られず、電源スイッチを別途設け、カバー３６をあけた後電源スイッチを入れることにより噴霧が始まるように構成しても良い。この場合は、リードスイッチ４２と電源スイッチのアンド条件で噴霧が始まるようにすることにより、カバー３６を上に引上げていないときに、電源スイッチを入れても化粧品等は噴霧されず、誤操作による誤噴霧を確実に防止できる。なお、長期間本供給装置を使用している内に、化粧品等の噴霧不良を生じる場合がある。化粧品等の噴霧不良は、噴霧素子に化粧品等が付着したまま乾燥して多孔板２８ａの貫通孔が目詰りする等の原因により起きる。
【００４７】
噴霧不良を生じた場合は、噴霧部１０４を化粧水等の供給装置主体１０２から取外し、正常に噴霧する噴霧部１０４と交換する。或は、装置の送出管、流出管等の内部を水道水で洗浄したり、又は専用の洗浄液を流出管、送出管に供給する等して噴霧不良を解決できる。
【００４８】
本例に於いては、化粧品等として、互いに溶け合わない油溶性のビタミンＥの水エマルジョンと水溶性のビタミンＣとからなる日焼止防止用薬剤を上記装置を用いて噴霧している。この場合は、以下の機能が付加される。
【００４９】
即ち、エマルジョンに超音波振動を与えることによりビタミンＣの抗酸化力、浸透性が高められると共にビタミンＥエマルジョンの乳化が一層進行し、均一なエマルジョンが噴霧される。
【００５０】
なお、本例においては噴霧部１０４を供給装置主体１０２に着脱できるように構成したがこれに限られず、例えば噴霧部２８を筐体２内に組込み、筐体に固定してあっても良い。更に、供給タンクの数は、１以上の任意の数が採用できる。
【００５１】
上記例に於いては、比較的粘度の低い化粧水に超音波を与えるようにしたが、高粘度のエマルジョン形態のクリーム等に超音波を与えて噴霧する場合は、多孔板の貫通孔の口径を大きくし、ピエゾ振動子に供給する電力及び周波数を高くすればよい。
【図面の簡単な説明】
【００５２】
【図１】本発明の化粧水又は薬剤の供給装置の一例を示す概略構成図である。
【図２】図１の化粧水又は薬剤の供給装置の噴霧状態を示す説明図である。
【図３】図１の化粧水又は薬剤の供給装置の概略斜視図である。
【符号の説明】
【００５３】
２    筐体
４    第１供給タンク
６、７    ポンプ
８    供給管
１０    送出管
２６    流出管
２８    噴霧素子
２８ａ    多孔板
２８ｂ    ピエゾ振動子
３０    排出管
３２    第２供給タンク
３４    噴霧部本体
３６    噴霧部開閉カバー
３８    吐出口開閉手段
４０    マグネット
４２    リードスイッチ
４４    制御部
４６    駆動電源
４８、５２、５３，５４    配線
５０    信号線
５５    パッキング
５８    液滴
１００    化粧水又は薬剤の供給装置
１０２    化粧水又は薬剤の供給装置主体
１０４    噴霧部
【図１】
2005288400.tif 000002
【図２】
2005288400.tif 000003
【図３】
2005288400.tif 000004